(57)【要約】【課題】需要家への電力の供給を管理する。【解決手段】サーバ装置１６は送受信部２１と制御部２２とを有する。送受信部２１は需要家が使用するバッテリ１８の需給状況を記憶する需要家のメモリ１４から需給状況を受信する。制御部２２は需給状況に基づいてバッテリ１８の蓄電量を需要家別に算出する。制御部２２は蓄電量が所定の下限値未満であるか否かを判別する。制御部２２は蓄電量が所定の下限値未満であるバッテリ１８を使用する需要家を報知する指令を作成する。【選択図】図１
2016129469.tif 000002
【特許請求の範囲】
【請求項１】
需要家が使用するバッテリの需給状況を記憶する需要家のメモリから、前記需給状況を受信する受信部と、
前記需給状況に基づいて前記バッテリの蓄電量を前記需要家別に算出し、該蓄電量が所定の下限値未満であるか否かを判別し、前記蓄電量が前記所定の下限値未満であるバッテリを使用する需要家を報知する指令を作成する制御部とを備える
ことを特徴とするサーバ装置。
【請求項２】
請求項１に記載のサーバ装置であって、
前記制御部は、前記受信部が受信した前記需給状況を、前記需要家のリストを記憶する記憶装置に、該需給状況に対応する需要家と関連付けて記憶させ、前記バッテリの蓄電量の算出時に前記記憶装置から前記需給状況を読出す
ことを特徴とするサーバ装置。
【請求項３】
請求項１または２に記載のサーバ装置であって、
前記制御部は、前記蓄電量が前記所定の下限値未満であるバッテリを使用する需要家を報知する報知画像を作成し、前記指令として前記報知画像をディスプレイに送信する
ことを特徴とするサーバ装置。
【請求項４】
請求項１から３のいずれか１項に記載のサーバ装置であって、
前記需給状況は、前記バッテリからの消費電力であり、
前記制御部は、前記バッテリの満充電時の蓄電量から前記消費電力を減じることにより、前記バッテリの蓄電量を算出する
ことを特徴とするサーバ装置。
【請求項５】
需要家が使用するバッテリの需給状況を記憶する需要家のメモリから、前記需給状況を受信し、
前記需給状況に基づいて前記バッテリの蓄電量を前記需要家別に算出し、
前記蓄電量が所定の下限値未満であるか否かを判別し、
前記蓄電量が前記所定の下限値未満であるバッテリを使用する需要家を報知する
ことを特徴とするバッテリ管理方法。
【発明の詳細な説明】
【技術分野】
【０００１】
本発明は、バッテリを介して電力を需要家に供給する電力供給方法において、各需要家におけるバッテリを管理するサーバ装置およびバッテリ管理方法に関するものである。
【背景技術】
【０００２】
近年、太陽光発電および風力発電などの再生可能エネルギーを利用した分散型電源設備の実用化が進められている（特許文献１参照）。
【先行技術文献】
【特許文献】
【０００３】
【特許文献１】特開２０１２−２４９３７４号公報
【発明の概要】
【発明が解決しようとする課題】
【０００４】
しかし、太陽光発電装置および風力発電装置を設置し得る遊休地が存在しても、当該遊休地に送電網が構築されているとは限らず、分散型電源設備そのもの以外の導入コストを過大にかけること無く、分散型電源設備が発電した電力を需要家に供給することは困難であった。
【０００５】
本発明は、かかる観点に鑑みてなされたもので、過大な導入コストをかけること無く分散型電源設備が発電した電力を需要家に供給する需給方法において、需要家への電力の供給を管理し得るサーバ装置およびバッテリ管理方法を提供することを目的とするものである。
【課題を解決するための手段】
【０００６】
上述した諸課題を解決すべく、第１の観点によるサーバ装置は、
需要家が使用するバッテリの需給状況を記憶する需要家のメモリから、前記需給状況を受信する受信部と、
前記需給状況に基づいて前記バッテリの蓄電量を前記需要家別に算出し、該蓄電量が所定の下限値を未満であるか否かを判別し、前記蓄電量が前記所定の下限値未満であるバッテリを使用する需要家を報知する指令を作成する制御部とを備える
ことを特徴とするものである。
【０００７】
また、第２の観点によるサーバ装置において、
前記制御部は、前記受信部が受信した前記需給状況を、前記需要家のリストを記憶する記憶装置に、該需給状況に対応する需要家と関連付けて記憶させ、前記バッテリの蓄電量の算出時に前記記憶部から前記需給状況を読出す
ことが好ましい。
【０００８】
また、第３の観点によるサーバ装置において、
前記制御部は、前記蓄電量が前記所定の下限値未満であるバッテリを使用する需要家を報知する報知画像を作成し、前記指令として前記報知画像をディスプレイに送信する
ことが好ましい。
【０００９】
また、第４の観点によるサーバ装置において、
前記需給状況は、前記バッテリからの消費電力であり、
前記制御部は、前記バッテリの満充電時の蓄電量から前記消費電力を減じることにより、前記バッテリの蓄電量を算出する
ことが好ましい。
【００１０】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１１】
例えば、本発明の第５の観点を方法として実現させたバッテリ管理方法は、
需要家が使用するバッテリの需給状況を記憶する需要家のメモリから、前記需給状況を受信し、
前記需給状況に基づいて前記バッテリの蓄電量を前記需要家別に算出し、
前記蓄電量が所定の下限値未満である否かを判別し、
前記蓄電量が前記所定の下限値未満であるバッテリを使用する需要家を報知する
ことを特徴とするものである。
【発明の効果】
【００１２】
本発明によれば、過大な導入コストをかけること無く分散型電源設備が発電した電力を需要家に供給する需給方法において、需要家への電力の供給を管理可能となる。
【図面の簡単な説明】
【００１３】
【図１】本発明の一実施形態に係るサーバ装置を含む、電力需給管理システムを概略的に示すネットワークの構成図である。
【発明を実施するための形態】
【００１４】
以下、本発明の実施の形態について、図を参照して説明する。
【００１５】
図１は、本発明の一実施形態に係るサーバ装置を含む、電力需給管理システムを概略的に示すネットワークの構成図である。電力需給管理システム１０は、ネットワーク１１、蓄電制御装置１２、電力管理装置１３、メモリ１４、記憶装置１５、サーバ装置１６、およびディスプレイ１７などを含んで構成される。図１において、点線は情報および指令などの信号を伝送する信号線を示し、実線は電力を伝達する電力線を示す。
【００１６】
電力需給管理システム１０を適用する、電力の需給方法では、電力の供給にバッテリ１８が用いられる。例えば、本需給方法を利用する分散型電源設備１９が発電する電力がバッテリ１８に充電され、充電されたバッテリ１８が、本需給方法を利用する需要家の施設２０に配送される。配送されたバッテリ１８は、需要家使用する電力管理装置１３の制御の基で放電し、需要家の施設２０において使用される負荷機器に電力を供給する。なお、分散型電源設備１９は、例えば太陽光発電装置、風力発電装置などの再生可能エネルギーを利用した発電装置である。また、バッテリ１８の需要家の施設２０への配送には、電気自動車などが用いられる。
【００１７】
ネットワーク１１は、有線および無線の少なくとも一方を含み、複数の蓄電制御装置１２、複数の電力管理装置１３、およびサーバ装置１６を接続する。ネットワーク１１は、蓄電制御装置１２、電力管理装置１３、およびサーバ装置１６間で、情報および指令を伝達する。
【００１８】
蓄電制御装置１２は、本需給方法を利用する分散型電源設備１９の設置場所に設けられる。蓄電制御装置１２は、多数のバッテリ１８と着脱自在であり、分散型電源設備１９が発電した電力のバッテリ１８への蓄電を制御する。蓄電制御装置１２は、蓄電制御装置１２の制御下にあるバッテリ１８の充電状況、例えば、電圧などの蓄電量を、バッテリ１８の識別番号とともにネットワーク１１を介してサーバ装置１６に送信する。
【００１９】
電力管理装置１３は、本需給方法を利用する需要家の施設２０に設けられる。電力管理装置１３は、少なくとも一つのバッテリ１８と着脱自在であり、需要家の施設２０において使用される負荷機器へのバッテリ１８からの電力の供給を制御する。また、電力管理装置１３は、バッテリ１８の需給状況、例えば、バッテリ１８の満充電時の蓄電量および装着開始時のバッテリ１８の蓄電量の少なくとも一方、当該バッテリ１８からの消費電力、およびバッテリ１８の最新の蓄電量などを検出し、バッテリ１８の識別番号とともに、メモリ１４に送信する。なお、電力管理装置１３は、商用系統および需要家の施設２０に設けられる発電装置から負荷機器への電力の供給を制御してもよい。
【００２０】
メモリ１４は、電力管理装置１３が送信する、バッテリ１８の需給状況を記憶する。メモリ１４は、記憶した需給状況を、電力管理装置１３およびネットワーク１１を介してサーバ装置１６に送信する。なお、需給状況の送信は、サーバ装置１６の要求に対して行われても、電力管理装置１３の制御の基で所定の周期でメモリ１４から自動的に行われてもよい。
【００２１】
記憶装置１５は、サーバ装置１６の管理下にある蓄電制御装置１２により充電が制御されたバッテリ１８の充電状況をバッテリ１８の識別番号とともに記憶する。また、記憶装置１５は、サーバ装置１６の管理下にある電力管理装置１３を使用する需要家のリストを記憶する。また、記憶装置１５は、サーバ装置１６の管理下にある電力管理装置１３に装着されたバッテリ１８の需給状況を、当該需給状況を送信したメモリ１４を有する需要家、すなわち当該需給状況に対応する需要家に関連付けて、記憶する。
【００２２】
サーバ装置１６は、送受信部２１（受信部）および制御部２２を有する。
【００２３】
送受信部２１は、前述のように、蓄電制御装置１２から送信される、蓄電制御装置１２により充電が制御されたバッテリ１８の充電状況を、バッテリ１８の識別番号とともに受信し、制御部２２を介して、記憶装置１５に送信する。また、送受信部２１は、前述のように、電力管理装置１３から送信される、バッテリ１８の需給状況を、バッテリ１８の識別番号とともに受信し、制御部２２を介して、記憶装置１５に送信する。なお、送受信部２１は制御部２２が作成する情報および指令を蓄電制御装置１２および電力管理装置１３に送信することもできる。
【００２４】
制御部２２は、送受信部２１が需給状況を受信するときに、当該需給状況を、当該需給状況を送信したメモリ１４を有する需要家、すなわち当該需給状況に対応する需要家に関連付けて、記憶装置１５に記憶させる。
【００２５】
制御部２２は、所定の周期で、サーバ装置１６の管理下の電力管理装置１３に装着されたバッテリ１８の蓄電量を需要家別に算出する。制御部２２は、バッテリ１８の蓄電量の算出時に、記憶装置１５から需要家別に需給状況を読出す。制御部２２は、読出した需給状況に基づいて、バッテリ１８の蓄電量を算出する。例えば、需給状況がバッテリ１８の最新の蓄電量である場合には、制御部２２は、当該蓄電量をバッテリ１８の蓄電量として算出する。また、例えば、需給状況がバッテリ１８の消費電力である場合には、制御部２２は、当該バッテリ１８の満充電時の蓄電量および電力管理装置１３への装着開始時のバッテリ１８の蓄電量から、消費電力を減じることにより、バッテリ１８の蓄電量を算出する。
【００２６】
制御部２２は、算出したバッテリ１８の蓄電量が所定の下限値未満であるか否かを判別する。所定の下限値は、バッテリ１８の種類および容量などに応じて、充電が必要と判断される値、例えば放電の回避が望まれる蓄電量から満充電時の蓄電量の１０％増しの蓄電量に定められる。
【００２７】
制御部２２は、バッテリ１８の蓄電量が所定の下限値未満であるときに、当該バッテリ１８を使用する需要家を報知する指令を作成する。需要家を報知する指令は、例えば、当該需要家を報知する第１の報知画像である。制御部２２は、第１の報知画像をディスプレイ１７に送信する。
【００２８】
また、制御部２２は、蓄電量が所定の下限値未満であるバッテリ１８を使用する需要家を報知する指令を作成するときに、蓄電制御装置１２に蓄電を制御されるバッテリ１８の中で、満充電されたバッテリ１８を検出する。さらに、制御部２２は、検出されたバッテリ１８の中で、需要家に配送するバッテリ１８を所定のアルゴリズムで決定する。所定のアルゴリズムは、例えば、当該需要家の施設２０から蓄電制御装置１２の位置までの距離の近さなどに基づいて、バッテリ１８を配送すべき他の需要家の施設２０も含めて全体の配送コストを低減化させるバッテリ１８を決定可能なように作成されたアルゴリズムである。制御部２２は、当該需要家に配送すべきバッテリ１８を、識別番号および当該バッテリ１８を充電する蓄電制御装置１２の位置とともに、報知する指令を作成する。バッテリ１８を報知する指令は、例えば上述の第１の報知画像と同様に、第２の報知画像として作成される。制御部２２は、第２の報知画像をディスプレイ１７に送信する。
【００２９】
ディスプレイ１７は、制御部２２から第１の報知画像および第２の報知画像を受信する。ディスプレイ１７は、第１の報知画像および第２の報知画像を表示する。また、ディスプレイ１７は、制御部２２が作成する、第１の報知画像および第２の報知画像以外の画像も表示可能である。
【００３０】
以上のような構成の本実施形態のサーバ装置によれば、需要家の施設２０におけるバッテリ１８の蓄電量を算出し、当該蓄電量が所定の下限値未満のときに、当該バッテリ１８を使用する需要家を報知可能である。したがって、バッテリ１８の配送により分散型電源設備１９から需要家の施設２０への電力を供給する電力の需給方法において、報知された需要家に充電したバッテリ１８が配送され得、需要家への電力の供給を管理し得る。
【００３１】
また、本実施形態のサーバ装置によれば、制御部２２は第１の報知画像を作成して、ディスプレイ１７に送信するので、サーバ装置１６の管理者は、蓄電量が所定の下限値未満であるバッテリ１８を使用する需要家を容易に把握可能である。したがって、満充電したバッテリ１８の配送が望まれる需要家の施設２０が容易に把握され得る。
【００３２】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【符号の説明】
【００３３】
１０  電力需給管理システム
１１  ネットワーク
１２  蓄電制御装置
１３  電力管理装置
１４  メモリ
１５  記憶装置
１６  サーバ装置
１７  ディスプレイ
１８  バッテリ
１９  分散型電源設備
２０  需要家の施設
２１  送受信部
２２  制御部
【図１】
2016129469.tif 000003